(57)【特許請求の範囲】
【請求項１】
ヘッドを用いて記録媒体に情報を記録し、またその情報の再生を行う情報記録再生装置であって、
前記ヘッドと記録媒体との間隔を大小に交互に変動させながら、ヘッドと記録媒体との最小間隔を徐々に減少させる駆動部と、
前記ヘッド又は該ヘッドが設けられたスライダと記録媒体との接触を判定するための信号を検出する信号検出部と、
前記信号検出部の検出信号に基づいて、前記ヘッド又は該ヘッドが設けられたスライダと記録媒体とが接触したと判定すると、前記ヘッドを記録媒体から離れた所定の位置に退避させると共に、前記接触検出時のヘッドの駆動量を取得する制御部と、
を備え、
前記駆動部により前記ヘッドと記録媒体との間隔を大小に交互に変動させる各動作において、前記ヘッドと記録媒体との最小間隔は、前記制御部が前記ヘッドと記録媒体との接触を判定するための検出信号を前記信号検出部から取得することができる時間にわたり維持され、
前記制御部が前記接触の判定後に前記ヘッドを記録媒体から遠ざける際の前記ヘッドと記録媒体との間隔は、この接触判定に係る変動の直前に前記駆動部が変動させた前記ヘッドと記録媒体との最小間隔よりも大となる情報記録再生装置。
【請求項２】
請求項１に記載の情報記録再生装置において、
前記ヘッドと記録媒体との間隔が小に変動された後で、前記信号検出部が検出していた信号に基づき、前記制御部が前記ヘッドと記録媒体との接触を判定する情報記録再生装置。
【請求項３】
請求項１又は２に記載の情報記録再生装置において、
前記駆動部は、前記ヘッドと記録媒体との間隔を大小に交互に変動させながらヘッドと記録媒体との最小間隔を徐々に減少させるに際して、前記ヘッドと記録媒体との最大間隔が一定となるように前記ヘッドを駆動する情報記録再生装置。
【請求項４】
請求項１又２に記載の情報記録再生装置において、
前記駆動部は、前記ヘッドと記録媒体との間隔を大小に交互に変動させながらヘッドと記録媒体との最小間隔を徐々に減少させるに際して、前記ヘッドを記録媒体から遠ざけるための駆動量が一定となるように前記ヘッドを駆動する情報記録再生装置。
【請求項５】
ヘッドを用いて記録媒体に情報を記録し、またその情報の再生を行う情報記録再生装置におけるヘッド−媒体の間隔検出方法であって、
前記ヘッドと記録媒体との間隔を大小に交互に変動させながら、ヘッドと記録媒体との最小間隔を徐々に減少させる駆動ステップと、
前記ヘッド又は該ヘッドが設けられたスライダと記録媒体との接触を判定するための信号を検出する信号検出ステップと、
前記信号検出ステップによる検出信号に基づいて、前記ヘッド又は該ヘッドが設けられたスライダと記録媒体とが接触したと判定すると、前記駆動ステップの動作を停止して、前記ヘッドを記録媒体から離れた所定の位置に退避させると共に、前記接触検出時のヘッドの駆動量を取得する制御ステップと、
を備え、
前記駆動ステップで前記ヘッドと記録媒体との間隔を大小に交互に変動させる各動作において、前記ヘッドと記録媒体との最小間隔は、前記制御部が前記ヘッドと記録媒体との接触を判定するための検出信号を前記信号検出部から取得することができる時間にわたり維持され、
前記制御ステップで前記接触の判定後に前記ヘッドを記録媒体から遠ざける際の前記ヘッドと記録媒体との間隔は、この接触判定に係る変動の直前に前記駆動ステップで変動された前記ヘッドと記録媒体との最小間隔よりも大となるヘッド−媒体の間隔検出方法。
【請求項６】
請求項５に記載のヘッド−媒体の間隔検出方法において、
前記制御ステップでは、前記ヘッドと記録媒体との間隔が小に変動された後で、前記信号検出ステップが検出する信号に基づき、前記ヘッドと記録媒体との接触を判定するヘッド−媒体の間隔検出方法。
【発明の詳細な説明】
【技術分野】
【０００１】
本発明は記録媒体に情報を記録し、またその記録された情報を再生するヘッドを有する情報記録再生装置、及びそのヘッドの記録媒体に対する高さ方向の位置を検出する間隔検出方法に関するものである。
【背景技術】
【０００２】
情報記録再生装置として、例えば磁気ディスク装置においては、高記録密度化の要求からヘッドと記録媒体の間隙はできるだけ小さいことが要求される。しかしながら、ヘッドと記録媒体との間に接触摺動が起こると、ヘッドや媒体の損傷による記録再生エラー、摩耗による塵埃の発生とそれに起因したヘッドクラッシュなど、著しい悪影響が発生する。よって、ヘッドと記録媒体が接触しない範囲内で間隙をできるだけ小さくする必要がある。
【０００３】
ヘッドは空気圧によって記録媒体から浮上するスライダにより媒体との間隙を保っているが、スライダの加工ばらつきや環境温度・気圧の変化などにより、スライダの浮上量は変動する。この変動を吸収してヘッドと媒体が接触しない範囲内で間隙をできるだけ小さくするため、スライダ上に熱膨張や圧電効果を利用した微小アクチュエータを搭載し、ヘッドと媒体の距離を動的に制御する方式が提案されている。
【０００４】
しかるにアクチュエータの駆動によりヘッドを最適な位置に移動させるためには、一旦ヘッドと記録媒体を接触させることで現在のヘッド位置を特定する、いわゆるゼロ点検出（ヘッド−媒体の間隔検出）をする必要がある。すなわち記録媒体とヘッドを一旦接触させて両者の距離がゼロとなるアクチュエータ変位を求め、その点を基準に規定の量だけヘッドを媒体から離すことで、環境温度や気圧、個々のスライダの浮上ばらつきなどの情報を個別に得る必要なしに、適切なヘッド-媒体間距離を保つ方法である。しかしながら、この方法を用いた場合、ゼロ点検出を行なうたびにヘッドと媒体が接触するため、前述のような悪影響が生じる場合がある。
【０００５】
これを回避する手段として、ゼロ点検出の際はアクチュエータに微小な交流振動を重畳させることで接触時間を短縮し、接触による悪影響を軽減する方法がある（例えば下記特許文献１参照）。
【特許文献１】特開２００３−３０８６７０号公報
【発明の開示】
【発明が解決しようとする課題】
【０００６】
しかしながら上述の特許文献１の方法では、ゼロ点検出の際にヘッドと媒体が接触する回数は１回ではなく、断続的に何度も接触を繰り返してしまうため、前記の接触による悪影響を引き起こす可能性は拭いきれない。
【０００７】
また、アクチュエータとしてヒータによる熱膨張を利用する場合は、ヒータにかける電力とヘッドの移動量との間にヒータ周辺材料の熱容量に起因した遅れ時間が発生するため、上記特許文献１のように高速度での駆動が困難になり、上述した問題を解決することはできない。
【０００８】
加えて、ヘッドと記録媒体が接触した場合の挙動として、図１３に示すようなヒステリシスの存在が一般的に知られている。すなわち、アクチュエータの駆動により一旦ヘッドと記録媒体が接触した場合、接触する直前の位置までヘッドを戻しても接触状態から脱することができず、ある一定の距離だけ余分に戻さなければスライダが再び浮上しない。
【０００９】
一般にこのヒステリシスの量はスライダの浮上量に比べて無視できないほど大きいため、接触を検知してからアクチュエータを戻すという通常の接触退避動作をした場合は、図１３に示すようにヘッドがヒステリシスの領域を超える間接触し続けることになり、接触による悪影響を引き起こす可能性が高まる。
【００１０】
さらに、接触を検出する方法によっては、接触判定を行なうたびに大量の演算が必要となり、判定の結果が出るまでに時間がかかる場合がある。この場合、従来の方法では結果が出るまで接触し続けることになり、やはり接触による悪影響を引き起こす可能性が高まる。
【００１１】
本発明は、上述した課題を解決するためになされたものであり、ヘッドと媒体との接触回数及び時間を極力少なくでき、接触による障害の発生を最小限に抑えることができる情報記録再生装置及びゼロ点検出方法を得ることを目的としている。
【課題を解決するための手段】
【００１２】
本発明は、ヘッドを用いて記録媒体に情報を記録し、またその情報の再生を行う情報記録再生装置であって、前記ヘッドと記録媒体との間隔を大小に交互に変動させながら、ヘッドと記録媒体との最小間隔を徐々に減少させる駆動部と、前記ヘッド又は該ヘッドが設けられたスライダと記録媒体との接触を判定するための信号を検出する信号検出部と、前記信号検出部の検出信号に基づいて、前記ヘッド又は該ヘッドが設けられたスライダと記録媒体とが接触したと判定すると、前記ヘッドを記録媒体から離れた所定の位置に退避させると共に、前記接触検出時のヘッドの駆動量を取得する制御部と、を備え、前記駆動部により前記ヘッドと記録媒体との間隔を大小に交互に変動させる各動作において、前記ヘッドと記録媒体との最小間隔は、前記制御部が前記ヘッドと記録媒体との接触を判定するための検出信号を前記信号検出部から取得することができる時間にわたり維持され、前記制御部が前記接触の判定後に前記ヘッドを記録媒体から遠ざける際の前記ヘッドと記録媒体との間隔は、この接触判定に係る変動の直前に前記駆動部が変動させた前記ヘッドと記録媒体との最小間隔よりも大となる。
【００１３】
また、本発明の情報記録再生装置において、前記ヘッドと記録媒体との間隔が小に変動された後で、前記信号検出部が検出していた信号に基づき、前記制御部が前記ヘッドと記録媒体との接触を判定する。
【００１６】
また、本発明の情報記録再生装置において、前記駆動部は、熱膨張を発生させることでヘッドを駆動するヒータにより構成されていることを特徴とする。
【００１７】
また、本発明の情報記録再生装置において、前記駆動部は、前記ヘッドと記録媒体との間隔を大小に交互に変動させながらヘッドと記録媒体との最小間隔を徐々に減少させるに際して、前記ヘッドと記録媒体との最大間隔が一定となるように前記ヘッドを駆動することを特徴とする。
【００１８】
また、本発明の情報記録再生装置において、前記駆動部は、前記ヘッドと記録媒体との間隔を大小に交互に変動させながらヘッドと記録媒体との最小間隔を徐々に減少させるに際して、前記ヘッドを記録媒体から遠ざけるための駆動量が一定となるように前記ヘッドを駆動することを特徴とする。
【００１９】
また、本発明の情報記録再生装置において、前記信号検出部は、前記記録媒体から前記ヘッドにより得られる再生信号を検出信号とし、前記制御部は該再生信号に基づいて前記ヘッドの記録媒体への接触を判定することを特徴とする。
【００２０】
また、本発明の情報記録再生装置において、前記信号検出部は、前記ヘッドを設けたスライダの振動に基づく振動信号を検出信号とし、前記制御部は該振動信号に基づいて前記ヘッドの記録媒体への接触を判定することを特徴とする。
【００２１】
また、本発明の情報記録再生装置において、前記信号検出部は、前記ヘッドを設けたスライダの振動を検出する圧電素子により構成されることを特徴とする。
【００２２】
また、本発明の情報記録再生装置において、前記信号検出部は、前記ヘッドを設けたスライダを保持するヘッドアームの振動を検出する圧電素子により構成されることを特徴とする。
【００２３】
また、本発明は、ヘッドを用いて記録媒体に情報を記録し、またその情報の再生を行う情報記録再生装置におけるヘッド−媒体の間隔検出方法であって、前記ヘッドと記録媒体との間隔を大小に交互に変動させながら、ヘッドと記録媒体との最小間隔を徐々に減少させる駆動ステップと、前記ヘッド又は該ヘッドが設けられたスライダと記録媒体との接触を判定するための信号を検出する信号検出ステップと、前記信号検出ステップによる検出信号に基づいて、前記ヘッド又は該ヘッドが設けられたスライダと記録媒体とが接触したと判定すると、前記駆動ステップの動作を停止して、前記ヘッドを記録媒体から離れた所定の位置に退避させると共に、前記接触検出時のヘッドの駆動量を取得する制御ステップと、を備え、前記駆動ステップで前記ヘッドと記録媒体との間隔を大小に交互に変動させる各動作において、前記ヘッドと記録媒体との最小間隔は、前記制御部が前記ヘッドと記録媒体との接触を判定するための検出信号を前記信号検出部から取得することができる時間にわたり維持され、前記制御ステップで前記接触の判定後に前記ヘッドを記録媒体から遠ざける際の前記ヘッドと記録媒体との間隔は、この接触判定に係る変動の直前に前記駆動ステップで変動された前記ヘッドと記録媒体との最小間隔よりも大となる。
【００２４】
本発明の実施の形態においては、ゼロ点検出を行なう場合に、ヘッドを周期的に上下させ、その1周期ごとにヘッドと媒体との間隔を徐々に減少させ、接触が検知されたら直ちに周期駆動を停止し、接触が検知された位置よりも媒体から遠い位置にヘッドを退避させる。
【００２５】
ヘッドを上下させる駆動波形は、ヘッドと媒体の接触を検知するために最小限必要な時間だけ接触が行なわれるように設定する。
【００２６】
仮に、ヘッドと媒体の接触を検知するために必要な時間をTcとした場合、Tcの間だけヘッド位置が媒体に近づくように周期的に上下させ、さらに1周期ごとに徐々に媒体に近づけていき、その1周期ごとに接触検出を行なう。
【００２７】
また、熱膨張を用いたアクチュエータのように、入力に対してアクチュエータの駆動が無視できないほど遅れ、なおかつヒステリシスによりヘッドの接触位置と再浮上位置との間に差がある場合は、あらかじめその遅れ時間とヒステリシス量を考慮してアクチュエータへの入力信号を作成しておくことで、1周期の間にヘッドと媒体とが接触する時間を検出に必要な時間Tcにとどめる。
【００２８】
また、接触の検出をするために演算処理等が原因で時間がかかる場合も、アクチュエータへ入力する周期信号を調整して接触判定のデータを取得するのに必要な時間だけ接触させておき、判定結果が出るまでの時間はヘッドと媒体を離しておくようにする。
【発明の効果】
【００２９】
本発明によれば、ヘッドと媒体との接触回数及び時間を極力少なくでき、接触による障害の発生を最小限に抑えることができるという効果を奏する。
【発明を実施するための最良の形態】
【００３０】
以下、本発明の実施の形態を情報記録再生装置として磁気ディスク装置に例をとって図面を参照しつつ説明する。
【００３１】
実施の形態１．
図１は、実施の形態１における磁気ディスク装置の制御系を示すブロック図、図２はヘッド部を示す概略構成図、図３はヘッドを有するスライダのエアベアリング面を示す図、図４はスライダを支持するヘッドアームを示す図である。
【００３２】
実施の形態１の磁気ディスク装置は、記録媒体である磁気ディスク１に情報の書き込みを行なうライトヘッド、またその情報を読み出して再生を行うリードヘッド（以下２つをあわせて単にヘッドという）２と、このヘッド２の取り付け部の周辺を加熱してヘッドを記録媒体方向に突き出すように駆動するヒータ３と、このヒータ３を加熱（駆動）するヒータ駆動部４と、ヘッドアームの振動を検出する加速度センサ５と、加速度センサ５からの振動検出信号を観測しながらヒータ駆動部４によりヒータを加熱させ、加速度センサ５の振動検出信号によりヘッド２が磁気ディスク１に接触したことを検知したときに、例えばそれまでのヒータ駆動部４によるヘッド２の駆動量をゼロ点（接触位置）として取得する制御部６と、この制御部６により得られたゼロ点を記憶するゼロ点記憶部７とを備えている。
【００３３】
なお、制御部６は、ヘッド２からの信号を例えばプリアンプなどを有する再生信号形成部８を介して取り込み、情報再生信号として復号したうえで図示しないＰＣ（パーソナルコンピュータ）に送信し、また書き込み信号をＰＣより受信して図示しない書き込み信号形成部を介してヘッド２により磁気ディスクに情報を記録する。
【００３４】
図２に示すように、ヘッド２はそのライト磁極（ライトヘッド）２ａの取り付け部２ｂがヒータ３により加熱され、その熱膨張によりヘッド２ａが記録媒体方向である磁気ディスク方向に突出するよう駆動される。なお、ここではヘッドとしてライト磁極について示しているが、リードヘッドについても同様の構成とするようにしても良い。
【００３５】
図３に示すように、スライダのエアベアリング面には、エアベアリングを有効に作用させるために、エアベアリング領域２１の近傍に、深溝の領域２２、浅溝の領域２３が適宜設けられ、エアが流入端２４から流出端２５まで流れてヘッド２を浮上させる。ヘッド２はその流出端２５近傍に設けられている。
【００３６】
そして、図４に示すように、スライダ部３１がヘッドアーム３２の先端に取り付けられ、ヘッドアーム３２の基部近傍の適所に後述する加速度センサ５が設けられ、ヘッドアーム３２の基部には、ヘッドアームの回転軸３３、ヘッドアーム駆動用モータ３４が設けられている。
【００３７】
図２に示したヒータを加熱する場合、入力となるヒータ消費電力Wと出力となるヘッド位置zは、ヒータ周辺材料の熱容量に起因した時定数だけ遅延する。仮にアクチュエータの出力特性が式（１）に示すような１次の微分方程式で表されるとすると、wとzの差異は図５のような形になる。
【００３８】
Ldz(t)/dt＋Rz(t)=w(t)                        （１）
【００３９】
ここで、wはヒータ消費電力、zはヘッド位置、L、Rはヒータ（アクチュエータ）によって決まる定数である。
【００４０】
図６は実際のヘッドの動作を示すタイムチャートである。図６においては、ヘッドの磁気ディスクへの接触時間（接触の検知に必要な時間）をTc、媒体に接触するヘッド位置とスライダが浮上するヘッド位置との差であるヒステリシスの量をZhとして示している。
【００４１】
本実施の形態では、式（１）に基づくヘッド位置の遅れ時間と、ヒステリシスZhとを予め考慮し、ヘッドが媒体に充分近づく時点（接触時点という）から、Zh以上遠ざかる時点までの時間（最小間隔を形成する時間）がTcとなるように１周期の入力波形（図中破線）を決めておく。この波形を図７のように周期的にアクチュエータに入力し、１周期ごとに徐々に出力を上げてヘッドを媒体に近づけていき、１周期ごとに接触したか否かを検出する。
【００４２】
実施の形態１においては、ヘッドが記録媒体へ接触したことの接触検出手段として、加速度センサ５を用いている。加速度センサ５は、図４に示したようにスライダ部（浮上スライダ）３１を把持するヘッドアーム３２に圧電素子を取り付けて構成される。図８（Ａ）（Ｂ）に示すように、ヘッド２と磁気ディスク１との接触が起きると両者の摩擦からスライダが振動し、その振動がヘッドアーム３２に伝わると加速度センサ５の出力の高周波成分が増加する。制御部６は出力が予め設定されていた閾値を超えた場合に接触が発生したと判断する。
【００４３】
接触が検出されたら制御部６は周期波形の入力を停止すると共に、そのゼロ点の位置（ヒータの加熱量）をゼロ点記憶部７に記憶する。これにより、最小限の時間Tcで１回のみ接触するだけでゼロ点検出が可能となる。よって、以後は、このゼロ点記憶部７に記憶されたゼロ点位置を用いてヒータ３を駆動し、ヘッド２を磁気ディスク１に対する最適位置に設定する。
【００４４】
実施の形態１によれば、接触検出手段として圧電素子によりスライダまたはスライダを保持するヘッドアームの振動を検出する方法を使うことにより、極めて短い接触時間で検出を行なうことができる。
【００４５】
実施の形態２．
図９は、本発明の実施の形態２を示す駆動波形を示す図である。本実施の形態では、制御部６がヒータ駆動部４に対して、図９の破線に示すように、ゼロ点検出動作の駆動入力が１周期ごとにヒータへの通電がゼロになるように設定する。
【００４６】
ヒータ（アクチュエータ）の出力特性が上述した式（１）に示すような１次の微分方程式で表されるとすると、ヘッド位置は図９の実線のように動作する。図１０に示すように、ヒステリシスがZhとZh’で示すように、媒体やスライダの個体差によってヒステリシス量がばらつく場合でも、駆動入力１周期分のメリハリを大きくすることでヒータ（アクチュエータ）の動作が速くなり、ヒステリシスによる接触時間の増加を最小限に抑えることができる。
【００４７】
なお、実施の形態２によれば、ヒータ駆動部は、ヘッド２と磁気ディスク１との最大間隔が一定となるようにヘッド２を駆動することとなる。
【００４８】
実施の形態３．
図１１は実施の形態３を示すブロック図である。実施の形態３は実施の形態１の加速度センサに代わり、ヘッドからの読み出し信号を再生し再生信号を形成する再生信号形成部８によりヘッドの記録媒体への接触を検出するようにしたものである。したがって、実施の形態３では、図１における加速度センサ５が不要となる。
【００４９】
以下、実施の形態３の動作について説明する。図１２(Ａ)(Ｂ)に示すように、接触検出のために、制御部６は再生信号形成部８の再生信号に基づいて、駆動信号の１周期ごとに再生されたヘッド出力の振幅を測定する。ヘッドと媒体が接触していない間は、両者の距離が徐々に縮まっていくため再生出力は増加していくが、ヘッドと媒体が接触した場合は両者の摩擦によりスライダが振動するため、再生ヘッドの出力振幅が弱まる。この再生ヘッド出力の振幅減少を検出した場合に接触が発生したと判断する。
【００５０】
また、接触による振動が極めて小さい場合はヘッド出力の振幅が減少せず、単に増加が止まるだけの場合もある。この場合は、出力振幅の増加が止まったことを検出して接触が発生したと判断する。ただし接触が発生するアクチュエータ駆動量は、最後の測定点のものではなく、最後に振幅が増加した点での駆動量を採用する。
【００５１】
実施の形態３によれば、接触検知手段としてヘッドから出力される再生信号を用いる方法を使うことにより、従来から装置に備わっている機能だけで接触を検知することができ、コストの増加を抑えることができる。
【００５２】
以上に詳述した本発明の実施の形態によれば、ゼロ点検出を行なうためにヘッドと媒体を接触させる場合でも、必要最小限の時間接触させるだけで検出でき、接触による障害の発生を最小限に抑えることができる。
【００５３】
また、1周期ごとに媒体から最も遠い位置にヘッドを退避させる機能を加えることで、ヒステリシスによる接触時間の増加を最小限に抑えることができる。
【００５４】
また、本実施の形態は、スライダ上のヘッドを媒体と垂直方向に移動するアクチュエータを持つ磁気ディスク装置に関し、ヘッドと磁気ディスクとの位置を測定するためのゼロ点検出を行なう際に、ヘッドや磁気ディスク（記録媒体）の損傷による記録再生エラー、摩耗による塵埃の発生とそれに起因したヘッドクラッシュなどの、ヘッドと磁気ディスクとの接触に起因する障害の発生確率を最小限に抑えることができる。
（付記１）
ヘッドを用いて記録媒体に情報を記録し、またその再生を行う情報記録再生装置であって、
前記ヘッドと記録媒体との間隔を大小に交互に変動させながら、ヘッドと記録媒体との最小間隔を徐々に減少させる駆動部と、
前記ヘッド又は該ヘッドが設けられたスライダと記録媒体との接触を判定するための信号を検出する信号検出部と、
前記信号検出部の検出信号に基づいて、前記ヘッド又は該ヘッドが設けられたスライダと記録媒体とが接触したと判定すると、前記ヘッドを記録媒体から離れた所定の位置に退避させると共に、前記接触検出時のヘッドの駆動量を取得する制御部と、
を備えてなる情報記録再生装置。
（付記２）
付記１に記載の情報記録再生装置において、
前記駆動部は、前記ヘッドと記録媒体との間隔を周期的に変動させながら、且つその周期ごとに前記ヘッドと記録媒体との最小間隔を減少させるように、前記ヘッドを駆動し、
前記制御部は前記信号検出部の検出信号に基づいて、前記周期ごとに前記ヘッド又は該ヘッドを設けたスライダの記録媒体への接触を判定することを特徴とする情報記録再生装置。
（付記３）
付記１に記載の情報記録再生装置において、
前記駆動部により前記ヘッドと記録媒体との間隔を大小に交互に変動させる各動作において、前記ヘッドと記録媒体との最小間隔は、前記制御部が前記ヘッドと記録媒体との接触を判定するための検出信号を前記信号検出部から取得することができる時間にわたり維持されることを特徴とする情報記録再生装置。
（付記４）
付記３に記載の情報記録再生装置において、
前記ヘッドを記録媒体から離した後で、前記信号検出部が検出していた信号に基づき、前記制御部が前記ヘッドと記録媒体との接触を判定することを特徴とする情報記録再生装置。
（付記５）
付記１に記載の情報記録再生装置において、
前記駆動部は、熱膨張を発生させることでヘッドを駆動するヒータにより構成されていることを特徴とする情報記録再生装置。
（付記６）
付記１に記載の情報記録再生装置において、
前記駆動部は、前記ヘッドと記録媒体との間隔を大小に交互に変動させながらヘッドと記録媒体との最小間隔を徐々に減少させるに際して、前記ヘッドと記録媒体との最大間隔が一定となるように前記ヘッドを駆動することを特徴とする情報記録再生装置。
（付記７）
付記１に記載の情報記録再生装置において、
前記駆動部は、前記ヘッドと記録媒体との間隔を大小に交互に変動させながらヘッドと記録媒体との最小間隔を徐々に減少させるに際して、前記ヘッドを記録媒体から遠ざけるための駆動量が一定となるように前記ヘッドを駆動することを特徴とする情報記録再生装置。
（付記８）
付記１に記載の情報記録再生装置において、
前記信号検出部は、前記記録媒体から前記ヘッドにより得られる再生信号を検出信号とし、前記制御部は該再生信号に基づいて前記ヘッドと記録媒体とが接触したと判定することを特徴とする情報記録再生装置。
（付記９）
付記１に記載の情報記録再生装置において、
前記信号検出部は、前記ヘッドを設けたスライダの振動に基づく振動信号を検出信号とし、前記制御部は該振動信号に基づいて前記ヘッドと記録媒体とが接触したと判定することを特徴とする情報記録再生装置。
（付記１０）
付記９に記載の情報記録再生装置において、
前記信号検出部は、前記ヘッドを設けたスライダの振動を検出する圧電素子により構成されることを特徴とする情報記録再生装置。
（付記１１）
付記１０に記載の情報記録再生装置において、
前記信号検出部は、前記ヘッドを設けたスライダを保持するヘッドアームの振動を検出する圧電素子により構成されることを特徴とする情報記録再生装置。
（付記１２）
ヘッドを用いて記録媒体に情報を記録し、またその再生を行う情報記録再生装置におけるヘッド−媒体の間隔検出方法であって、
前記ヘッドと記録媒体との間隔を大小に交互に変動させながら、ヘッドと記録媒体との最小間隔を徐々に減少させる駆動ステップと、
前記ヘッド又は該ヘッドが設けられたスライダと記録媒体との接触を判定するための信号を検出する信号検出ステップと、
前記信号検出ステップによる検出信号に基づいて、前記ヘッド又は該ヘッドが設けられたスライダと記録媒体とが接触したと判定すると、前記駆動ステップの動作を停止して、前記ヘッドを記録媒体から離れた所定の位置に退避させると共に、前記接触検出時のヘッドの駆動量を取得する制御ステップと、
を備えてなるヘッド−媒体の間隔検出方法。
（付記１３）
付記１２に記載のヘッド−媒体の間隔検出方法において、
前記駆動ステップは、前記ヘッドと記録媒体との間隔を周期的に変動させながら、且つその周期ごとに前記ヘッドと記録媒体との最小間隔を減少させるように、前記ヘッドを駆動し、
前記制御ステップは前記信号検出ステップにより検出された検出信号に基づいて、前記周期ごとに前記ヘッド又は該ヘッドを設けたスライダの記録媒体への接触を判定することを特徴とするヘッド−媒体の間隔検出方法。
（付記１４）
付記１２に記載のヘッド−媒体の間隔検出方法において、
前記駆動ステップにより前記ヘッドと記録媒体との間隔を大小に交互に変動させる各動作において、前記ヘッドと記録媒体との最小間隔は、前記制御ステップにおいて前記ヘッドと記録媒体との接触を判定するための検出信号を前記信号検出ステップにおいて取得することができる時間にわたり維持されることを特徴とするヘッド−媒体の間隔検出方法。
（付記１５）
付記１４に記載のヘッド−媒体の間隔検出方法において、
前記ヘッドを記録媒体から離した後で、前記信号検出ステップが検出していた信号に基づき、前記制御ステップが前記ヘッドと記録媒体との接触を判定するように前記駆動ステップは前記ヘッドを駆動することを特徴とするヘッド−媒体の間隔検出方法。
（付記１６）
付記１２に記載のヘッド−媒体の間隔検出方法において、
前記駆動ステップは、熱膨張を用いて前記ヘッドを駆動することを特徴とするヘッド−媒体の間隔検出方法。
（付記１７）
付記１２に記載のヘッド−媒体の間隔検出方法において、
前記駆動ステップは、前記ヘッドと記録媒体との間隔を大小に交互に変動させながらヘッドと記録媒体との最小間隔を徐々に減少させるに際して、前記ヘッドと記録媒体との最大間隔が一定となるように前記ヘッドを駆動することを特徴とするヘッド−媒体の間隔検出方法。
（付記１８）
付記１２に記載のヘッド−媒体の間隔検出方法において、
前記駆動ステップは、前記ヘッドと記録媒体との間隔を大小に交互に変動させながらヘッドと記録媒体との最小間隔を徐々に減少させるに際して、前記ヘッドを記録媒体から遠ざけるための駆動量が一定となるように前記ヘッドを駆動することを特徴とするヘッド−媒体の間隔検出方法。
（付記１９）
付記１２に記載のヘッド−媒体の間隔検出方法において、
前記信号検出ステップは、前記記録媒体から前記ヘッドにより得られる再生信号を検出信号とし、前記制御ステップは該再生信号に基づいて前記ヘッドと記録媒体とが接触したと判定することを特徴とするヘッド−媒体の間隔検出方法。
（付記２０）
付記１２に記載のヘッド−媒体の間隔検出方法において、
前記信号検出ステップは、前記ヘッドを設けたスライダの振動に基づく振動信号を検出信号とし、前記制御ステップは該振動信号に基づいて前記ヘッドと記録媒体とが接触したと判定することを特徴とするヘッド−媒体の間隔検出方法。
【図面の簡単な説明】
【００５５】
【図１】本発明の実施の形態１を示すブロック図である。
【図２】ヘッド部を示す概略構成図である。
【図３】ヘッドを有するスライダのエアベアリング面を示す図である。
【図４】スライダを支持するヘッドアームを示す図である。
【図５】ヘッドの応答を示す図である。
【図６】ヘッドの動作におけるヒステリシスを示す図である。
【図７】実施の形態１のヘッドの動作を示す図である。
【図８】ヘッドの位置と加速度センサの出力を示す図である。
【図９】本発明の実施の形態２のヘッドの動作を示す図である。
【図１０】ヒステリシスのばらつきを示す図である。
【図１１】本発明の実施の形態３を示すブロック図である。
【図１２】本発明の実施の形態３の動作を示す図である。
【図１３】ヘッドと記録媒体が接触した場合の従来の挙動を示す図である。
【符号の説明】
【００５６】
１  磁気ディスク、２  ヘッド、３  ヒータ、４  ヒータ駆動部、５  加速度センサ、６  制御部、７  ゼロ点記憶部、８  再生信号形成部、３１  スライダ部、３２  ヘッドアーム。
【図１】
0004714073.tif 000002
【図２】
0004714073.tif 000003
【図３】
0004714073.tif 000004
【図４】
0004714073.tif 000005
【図５】
0004714073.tif 000006
【図６】
0004714073.tif 000007
【図７】
0004714073.tif 000008
【図８】
0004714073.tif 000009
【図９】
0004714073.tif 000010
【図１０】
0004714073.tif 000011
【図１１】
0004714073.tif 000012
【図１２】
0004714073.tif 000013
【図１３】
0004714073.tif 000014